(57)【要約】  側面は、複数のモバイルデバイスに共通する高速アダマール変換を説明する。前記高速アダマール変換によって生成されたスクランブリングされたシーケンスは、無線通信システム内の複数の端末からのアクセスに基づくハンドオフプローブを復号するために利用することができる。ウォルシュシーケンスを共通のランダムシーケンスによってスクランブリングしてスクランブリングされたシーケンスを生成することができる。前記スクランブリングされたシーケンスの少なくとも一部分がアクセスプローブ内に含められる。【選択図】図３
2010517487.tif 000002
【特許請求の範囲】
【請求項１】
アクセスに基づくハンドオフプローブに関して単一の高速アダマール変換を用いるための方法であって、
モバイルデバイスからアクセスプローブを受信することであって、前記アクセスプローブは、ウォルシュシーケンスを含むことと、
少なくとも１つの部分組の複数のモバイルデバイスに共通するランダムシーケンスを備える高速アダマール変換によって前記ウォルシュシーケンスを復調すること、とを備える、方法。
【請求項２】
前記ランダムシーケンスを利用する前記復調に基づいて前記セクターへのアクセスを前記モバイルデバイスに選択的に許可することをさらに備える請求項１に記載の方法。
【請求項３】
前記複数のモバイルデバイスのうちの２つ以上からアクセスプローブを受信することと、
前記ランダムシーケンスを備える前記高速アダマール変換によって前記アクセスプローブ内に含められた前記ウォルシュシーケンスを復調すること、とをさらに備える請求項１に記載の方法。
【請求項４】
前記復調に基づいて前記セクターへのアクセスを前記モバイルデバイスに選択的に許可することは、共有シグナリングＭＡＣプロトコルを通じてアクセス許可を送信することを備える請求項１に記載の方法。
【請求項５】
前記ウォルシュシーケンスは、１０２４の変調シンボルを備える請求項１に記載の方法。
【請求項６】
無線通信装置であって、
アクセスプローブ内に含められたウォルシュシーケンスをモバイルデバイスから受信し、ランダムシーケンスを備える高速アダマール変換によって前記ウォルシュシーケンスを復調するプロセッサと、
前記プロセッサによって行われる解析に関連する情報を格納するメモリであって、前記ランダムシーケンスは、少なくとも１つの部分組の複数のモバイルデバイスに共通するメモリと、を備える、無線通信装置。
【請求項７】
前記プロセッサは、前記ランダムシーケンスを利用する前記復調に基づいて前記モバイルデバイスにさらに選択的にアクセスを許可する請求項６に記載の装置。
【請求項８】
前記プロセッサは、前記複数のモバイルデバイスのうちの２つ以上からアクセスプローブをさらに受信し、前記ランダムシーケンスを備える前記高速アダマール変換によって前記アクセスプローブ内に含められた前記ウォルシュシーケンスを復調する請求項６に記載の装置。
【請求項９】
前記プロセッサは、前記モバイルデバイスにアクセスを許可するために共有シグナリングＭＡＣプロトコルを通じてアクセス許可をさらに送信する請求項６記載の装置。
【請求項１０】
前記ウォルシュシーケンスは、１０２４の変調シンボルを備える請求項６に記載の装置。
【請求項１１】
アクセスに基づくハンドオフプローブに関して単一の高速アダマール変換を利用する無線通信装置であって、
モバイルデバイスからアクセスプローブを受信するための手段であって、前記アクセスプローブは、ウォルシュシーケンスを含む手段と、
少なくとも１つの部分組の複数のモバイルデバイスに共通するランダムシーケンスを備える高速アダマール変換によって前記ウォルシュシーケンスを復調するための手段と、備える、無線通信装置。
【請求項１２】
前記ランダムシーケンスを利用する前記復調に基づいて前記セクターへのアクセスを前記モバイルデバイスに選択的に許可するための手段をさらに備える請求項１１に記載の無線通信装置。
【請求項１３】
前記セクター内の前記複数のモバイルデバイスのうちの２つ以上からアクセスプローブを受信するための手段と、
前記ランダムシーケンスを備える前記高速アダマール変換によって前記アクセスプローブ内に含められた前記ウォルシュシーケンスを復調するための手段と、をさらに備える請求項１１に記載の無線通信装置。
【請求項１４】
前記復調に基づいて前記セクターへのアクセスを前記モバイルデバイスに選択的に許可するための前記手段は、共有シグナリングＭＡＣプロトコルを通じてアクセス許可を送信するための手段を備える請求項１１に記載の無線通信装置。
【請求項１５】
前記ウォルシュシーケンスは、１０２４の変調シンボルを備える請求項１１に記載の無線通信装置。
【請求項１６】
無線通信システムにおける装置であって、
モバイルデバイスからアクセスプローブを受信し、
少なくとも１つの部分組の複数のモバイルデバイスに共通するランダムシーケンスを備える高速アダマール変換によって前記ウォルシュシーケンスを復調するように構成されたプロセッサであって、前記アクセスプローブは、ウォルシュシーケンスを含むプロセッサ、を備える、装置。
【請求項１７】
前記プロセッサは、
前記複数のモバイルデバイスのうちの２つ以上からアクセスプローブを受信し、前記ランダムシーケンスを備える前記高速アダマール変換によって前記アクセスプローブ内に含められた前記ウォルシュシーケンスを復調するようにさらに構成される請求項１６に記載の無線通信システム。
【請求項１８】
アクセスプローブを復調するための機械によって実行可能な命令を格納している機械によって読み取り可能な媒体であって、
モバイルデバイスからアクセスプローブを受信することであって、前記アクセスプローブは、ウォルシュシーケンスを含むことと、
少なくとも１つの部分組の複数のモバイルデバイスに共通するランダムシーケンスを備える高速アダマール変換によって前記ウォルシュシーケンスを復調すること、とを備える、機械によって読み取り可能な媒体。
【請求項１９】
アクセスに基づくハンドオフプローブに関して単一の高速アダマール変換を用いるための方法であって、
ランダムシーケンスによってウォルシュシーケンスをスクランブリングしてスクランブリングされたシーケンスを生成することと、
前記スクランブリングされたシーケンスをアクセスに基づくハンドオフプローブとして送信することであって、前記ランダムシーケンスは、第１の部分組のデバイスに共通すること、とを備える、方法。
【請求項２０】
前記送信されたアクセスに基づくハンドオフプローブに応答して共有シグナリングＭＡＣプロトコルを通じてアクセス許可を受信することをさらに備える請求項１９に記載の方法。
【請求項２１】
前記スクランブリングされたシーケンスの前記サブシーケンスのうちの少なくとも１つは、前記アクセスに基づくハンドオフプローブを送信するために利用される請求項１９に記載の方法。
【請求項２２】
ウォルシュシーケンスの前記組は、１０２４の変調シンボルを備える請求項１９に記載の方法。
【請求項２３】
無線通信装置であって、
ランダムシーケンスによってウォルシュシーケンスをスクランブリングしてスクランブリングされたシーケンスを生成し、前記スクランブリングされたシーケンスをアクセスに基づくハンドオフプローブとして送信するプロセッサと、
前記プロセッサによって行われる解析に関連する情報を格納するメモリと、を備える、無線通信装置。
【請求項２４】
前記プロセッサは、前記アクセスに基づくハンドオフプローブに応答して共有シグナリングＭＡＣプロトコルを通じてアクセス許可をさらに受信する請求項２３に記載の無線通信装置。
【請求項２５】
前記スクランブリングされたシーケンスの少なくとも１つのサブシーケンスは、前記アクセスに基づくハンドオフプローブ内に含められる請求項２３に記載の無線通信装置。
【請求項２６】
ウォルシュシーケンスの前記組は、１０２４の変調シンボルを備える請求項２３に記載の無線通信装置。
【請求項２７】
アクセスに基づくハンドオフプローブに関して単一の高速アダマール変換を用いる無線通信装置であって、
ランダムシーケンスによってウォルシュシーケンスをスクランブリングしてスクランブリングされたシーケンスを生成するための手段と、
前記スクランブリングされたシーケンスをアクセスに基づくハンドオフプローブとして送信するための手段であって、前記ランダムシーケンスは、第１の部分組のデバイスに共通する手段と、を備える、無線通信装置。
【請求項２８】
前記送信されたアクセスに基づくハンドオフプローブに応答して共有シグナリングＭＡＣプロトコルを通じてアクセス許可を受信するための手段をさらに備える請求項２７に記載の無線通信装置。
【請求項２９】
前記スクランブリングされたシーケンスの少なくとも１つのサブシーケンスは、前記アクセスに基づくハンドオフプローブを送信するために用いられる請求項２７に記載の無線通信装置。
【請求項３０】
ウォルシュシーケンスの前記組は、１０２４の変調シンボルを備える請求項２７に記載の無線通信装置。
【請求項３１】
無線通信システムにおける装置であって、
ランダムシーケンスによってウォルシュシーケンスをスクランブリングしてスクランブリングされたシーケンスを生成し、
前記スクランブリングされたシーケンスをアクセスに基づくハンドオフプローブとして送信するように構成されたプロセッサであって、
前記ランダムシーケンスは、第１の部分組のデバイスに共通するプロセッサ、を備える、装置。
【請求項３２】
アクセスに基づくハンドオフプローブに関して単一の高速アダマール変換を用いるための機械によって実行可能な命令を格納している機械によって読み取り可能な媒体であって、
ランダムシーケンスによってウォルシュシーケンスをスクランブリングしてスクランブリングされたシーケンスを生成することと、
前記スクランブリングされたシーケンスをアクセスに基づくハンドオフプローブとして送信することであって、前記ランダムシーケンスは、第１の部分組のデバイスに共通すること、とを備える、機械によって読み取り可能な媒体。
【発明の詳細な説明】
【技術分野】
【０００１】
相互参照
本出願は、“A METHOD AND APPARATUS FOR USING A ACCESS CHANNEL MAC PROTOCOL”（アクセスチャネルＭＡＣプロトコルを用いるための方法及び装置）という題名を有し、ここの譲受人に譲渡されている、米国仮特許出願一連番号６０／８８７，３４１（出願日：２００７年１月３０日）の利益を主張するものである。この出願の全体が、参照されることによってここに組み入れられている。
【０００２】
以下の説明は、一般的には、無線通信に関するものである。以下の説明は、特に、アクセスに基づくハンドオフプローブに関するものである。
【背景技術】
【０００３】
様々なタイプの通信内容、例えば音声、データ、等、を提供することを目的として無線通信システムが広範囲にわたって配備されている。これらのシステムは、利用可能なシステム資源（例えば、帯域幅及び送信電力）を共有することによって複数のユーザーとの通信をサポートすることができる多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、３ＧＰＰロングタームエボリューション（ＬＴＥ）システムと、直交周波数分割多元接続（ＯＦＤＭＡ）システムと、を含む。
【０００４】
一般的には、無線多元接続通信システムは、複数の無線端末に関する通信を同時にサポートすることができる。各端末は、順方向リンク及び逆方向リンクにおける送信を通じて１つ以上の基地局と通信する。順方向リンク（又はダウンリンク）は、基地局から端末への通信リンクを意味し、逆方向リンク（又はアップリンク）は、端末から基地局への通信リンクを意味する。この通信リンクは、単入力単出力、多入力単出力、又は多入力多出力（ＭＩＭＯ）システムを通じて確立することができる。
【０００５】
ＭＩＭＯシステムは、データ送信に関して複数（ＮＴ）の送信アンテナ及び複数（ＮＲ）の受信アンテナを採用する。ＮＴの送信アンテナ及びＮＲの受信アンテナによって形成されるＭＩＭＯチャネルは、ＮＳの独立したチャネルに分解することができ、これらのチャネルは空間チャネルとも呼ばれ、ここでＮＳ≦ｍｉｎ｛ＮＴ，ＮＲ｝である。ＮＳの独立したチャネルの各々は、次元に対応する。ＭＩＭＯシステムは、複数の送信アンテナ及び受信アンテナによって生成された追加の次元性が利用される場合に向上された性能（例えば、より高いスループット及び／又はより高い信頼性）を提供することができる。
【０００６】
ＭＩＭＯシステムは、時分割複信（ＴＤＤ）及び周波数分割複信（ＦＤＤ）システムをサポートする。ＴＤＤシステムにおいては、順方向リンク送信及び逆方向リンク送信が同じ周波数領域にあり、このため、相互性原理が逆方向リンクチャネルからの順方向リンクチャネルの推定を可能にする。これは、アクセスポイントにおいて複数のアンテナが利用可能であるときに順方向リンクにおける送信ビーム形成利得をアクセスポイントが抽出するのを可能にする。
【０００７】
デバイスが１つ以上の基地局によって網羅されるセクターへのアクセスを希望するときには、そのデバイスは、アクセスプローブを送信する。アクセスプローブは、一般的には、端末専用のランダムシーケンスを含む。従って、ほとんどの場合においてアクセスプローブを送信する２つの端末は、異なるランダムシーケンスを選択している。受信側のアクセスポイントは、異なるランダムシーケンスを有するアクセスプローブを復調する必要があり、このことは、複雑さを増大させ、アクセスを許可時に遅延を生み出す可能性がある。
【発明の概要】
【０００８】
以下は、１つ以上の側面について基本的に理解できるようにすることを目的として前記１つ以上の側面の単純化された概要を示す。この概要は、すべての企図される側面の広範な概要ではなく、また全側面の主要な又は非常に重要な側面を特定するものではなく、さらにいずれかの側面又は全側面の適用範囲を詳述するものでもない。この概要の唯一の目的は、後述される発明を実施するための形態の準備段階として、１つ以上の側面の幾つかの概念を単純化された形で提示することである。
【０００９】
１つ以上の側面及びその対応する開示により、単一の高速アダマール変換（ＦＨＴ）を用いて複数のユーザーからのアクセスに基づくハンドオフプローブを復調することに関係して様々な側面が説明される。
【００１０】
関連する側面により、アクセスに基づくハンドオフプローブに関して単一の高速アダマール変換を用いるための方法がここにおいて説明される。前記方法は、モバイルデバイスからアクセスプローブを受信することを含むことができる。前記アクセスプローブは、ウォルシュシーケンスを含む。
【００１１】
さらに、前記方法は、少なくとも１つの部分組のモバイルデバイスに共通するランダムシーケンスを備える高速アダマール変換によって前記ウォルシュシーケンスを復調することを備えることができる。
【００１２】
他の側面は、無線通信装置に関連する。前記無線通信装置は、アクセスプローブ内に含められたウォルシュシーケンスをモバイルデバイスから受信し、ランダムシーケンスを備える高速アダマール変換によって前記ウォルシュシーケンスを復調するプロセッサを含むことができる。前記無線通信装置は、前記プロセッサによって行われる解析に関連する情報を格納するメモリを含むこともできる。前記ランダムシーケンスは、少なくとも１つの部分組のモバイルデバイスに共通することができる。
【００１３】
さらに他の側面は、アクセスに基づくハンドオフプローブに関して単一の高速アダマール変換を利用する無線通信装置に関連する。前記無線通信装置は、モバイルデバイスからアクセスプローブを受信するための手段を含むことができる。前記アクセスプローブは、ウォルシュシーケンスを含む。前記無線通信装置は、少なくとも１つの部分組のモバイルデバイスに共通するランダムシーケンスを備える高速アダマール変換によって前記ウォルシュシーケンスを復調するための手段を含むこともできる。
【００１４】
他の側面により、無線通信システムにおける装置は、プロセッサを含むことができ、前記プロセッサは、アクセスプローブであってウォルシュシーケンスを含むアクセスプローブをモバイルデバイスから受信し、少なくとも１つの部分組のモバイルデバイスに共通するランダムシーケンスを備える高速アダマール変換によって前記ウォルシュシーケンスを復調するように構成することができる。
【００１５】
さらに他の側面は、アクセスプローブであってウォルシュシーケンスを含むアクセスプローブをモバイルデバイスから受信するための及び少なくとも１つの部分組のモバイルデバイスに共通するランダムシーケンスを備える高速アダマール変換によって前記ウォルシュシーケンスを復調するための機械によって実行可能な命令を格納している機械によって読み取り可能な媒体に関連する。
【００１６】
その他の側面により、アクセスに基づくハンドオフプローブに関して単一の高速アダマール変換を用いるための方法がここにおいて説明される。前記方法は、ランダムシーケンスによってウォルシュシーケンスをスクランブリングしてスクランブリングされたシーケンスを生成することと、前記スクランブリングされたシーケンスをアクセスに基づくハンドオフプローブとして送信すること、とを含むことができ、前記ランダムシーケンスは、第１の部分組のデバイスに共通する。
【００１７】
さらに他の側面は、ランダムシーケンスによってウォルシュシーケンスをスクランブリングしてスクランブリングされたシーケンスを生成し及び前記スクランブリングされたシーケンスをアクセスに基づくハンドオフプローブとして送信するプロセッサを含むことができる。前記無線通信装置は、前記プロセッサによって行われる解析に関連する情報を格納するメモリを含むこともできる。
【００１８】
他の側面は、アクセスに基づくハンドオフプローブに関して単一の高速アダマール変換を用いる無線通信装置に関連する。前記無線通信装置は、ランダムシーケンスによってウォルシュシーケンスをスクランブリングしてスクランブリングされたシーケンスを生成するための手段と、前記スクランブリングされたシーケンスをアクセスに基づくハンドオフプローブとして送信するための手段と、を含み、前記ランダムシーケンスは、第１の部分組のデバイスに共通する。
【００１９】
他の側面により、無線通信システムにおける装置はプロセッサを含むことができ、前記プロセッサは、ランダムシーケンスによってウォルシュシーケンスをスクランブリングしてスクランブリングされたシーケンスを生成し、前記スクランブリングされたシーケンスをアクセスに基づくハンドオフプローブとして送信するように構成することができ、前記ランダムシーケンスは、第１の部分組のデバイスに共通する。
【００２０】
さらに他の側面は、ランダムシーケンスによってウォルシュシーケンスをスクランブリングしてスクランブリングされたシーケンスを生成するための及び前記スクランブリングされたシーケンスをアクセスに基づくハンドオフプローブとして送信するための機械によって実行可能な命令を格納している機械によって読み取り可能な媒体に関連し、前記ランダムシーケンスは、第１の部分組のデバイスに共通する。
【００２１】
上記及び関連する目的を完遂するために、前記１つ以上の側面は、ここにおいて十分に説明されて請求項において特に強調される特徴を備える。以下の説明及び添付図面は、前記１つ以上の側面の一定の例示的特徴を詳述する。しかしながら、これらの特徴は、様々な側面の原理を採用することができる様々な方法のうちの幾つかであるにすぎず、この説明は、すべての該側面及びその同等物を含むことが意図される。
【図面の簡単な説明】
【００２２】
【図１】ここにおいて提示される様々な側面による無線通信システムを示した図である。
【図２】１つ以上の側面による多元接続通信システムを示した図である。
【図３】アクセスに基づくハンドオフプローブを処理するために単一のＦＨＴを利用するシステムを示した図である。
【図４】アクセスに基づくハンドオフプローブに関して単一の高速アダマール変換を利用するためのシステムを示した図である。
【図５】アクセスに基づくハンドオフプローブに関して単一の高速アダマール変換を用いるための方法を示した図である。
【図６】単一のＦＨＴを用いてアクセスを許可するための他の方法を示した図である。
【図７】パイロットレベルを決定するための方法を示した図である。
【図８】アクセス状態外においてウォルシュシーケンスＩＤ及びアクセススクランブリングＩＤを決定するための方法を示した図である。
【図９】開示される側面のうちの１つ以上によりアクセスプローブに関して単一のＦＨＴを利用するのを容易にするシステムを示した図である。
【図１０】ここにおいて提示される様々な側面により単一のＦＨＴを利用するのを容易にするシステムを示した図である。
【図１１】典型的無線通信システムを示した図である。
【図１２】アクセスに基づくハンドオフプローブに関して高速アダマール変換を用いるためのシステムを示した図である。
【図１３】アクセスに基づくハンドオフプローブに関して単一の高速アダマール変換を用いるためのシステムを示した図である。
【発明を実施するための形態】
【００２３】
次に、図面を参照して様々な側面が説明される。以下の説明においては、説明の目的上、１つ以上の側面について徹底的に理解できるようにするための数多くの具体的な詳細が示される。しかしながら、該側面は、これらの具体的な詳細なしに実践可能であることが明確であろう。その他の場合においては、これらの側面の説明を容易にすることを目的としてよく知られた構造及びデバイスがブロック図の形で示される。
【００２４】
この出願において用いられる“構成要素”、“モジュール”、“システム”、等の用語は、ハードウェア、ファームウェア、ハードウェアとソフトウェアの組み合わせ、ソフトウェア、又は実行中のソフトウェアのいずれであるかにかかわらずコンピュータに関連するエンティティを意味することが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。例示上、計算デバイスにおいて実行されるアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と及び／又はインターネット等のネットワークを通じて信号を用いてその他のシステムと対話中の構成要素からのデータ）を有する信号に従って通信することができる。
【００２５】
さらに、ここにおいては、様々な実施形態が無線端末と関連させて説明される。無線端末は、システム、加入者ユニット、加入者局、移動局、モバイル、モバイルデバイス、デバイス遠隔局、遠隔端末、アクセス端末、ユーザー端末、端末、無線通信デバイス、ユーザーエージェント、ユーザーデバイス、又はユーザー装置（ＵＥ）と呼ぶことも可能である。無線端末は、携帯電話、コードレスフォン、セッション開始プロトコル（ＳＩＰ）フォン、スマートフォン、ワイヤレスローカルループ（ＷＬＬ）局、パーソナルデジタルアシスタント（ＰＤＡ）、ラップトップ、ハンドヘルド通信デバイス、ハンドヘルド計算デバイス、衛星無線、及び／又は無線システムを通じて通信するための他の処理デバイスであることができる。さらに、ここにおいては、様々な側面が基地局と関連させて説明される。基地局は、無線端末と通信するために利用することができ、及びアクセスポイント、ノードＢ、又はその他の何らかの用語で呼ばれることもある。
【００２６】
様々な側面又は特徴は、幾つかのデバイス、構成要素、モジュール、等を含むことができるシステムに関して提示される。これらの様々なシステムは、追加のデバイス、構成要素、モジュール、等を含むことができ、及び／又は図と関係させて説明されるすべてのデバイス、構成要素、モジュール、等を含むことができないことが理解及び評価されるべきである。これらの手法の組み合わせを用いることも可能である。
【００２７】
次に図１に関して、ここにおいて提示される様々な側面による無線通信システム１００が示される。システム１００は、１つ以上のセクターにおいて互いに及び／又は１つ以上のモバイルデバイス１０４との間で無線通信信号の受信、送信、反復等を行う１つ以上の基地局１０２を備えることができる。各基地局１０２は、複数の送信機チェーンと受信機チェーンとを備えることができ（例えば、各送信アンテナ及び受信アンテナに関して１つ）、その各々は、信号の送信及び受信と関連づけられた複数の構成要素（例えば、プロセッサ、変調器、マルチプレクサ、復調器、デマルチプレクサ、アンテナ、等）を備えることができる。各モバイルデバイス１０４は、例えば多入力多出力（ＭＩＭＯ）システムに関して用いられるような、１つ以上の送信機チェーンと受信チェーンとを備えることができる。各送信機チェーン及び受信機チェーンは、当業者によって評価されるように、信号の送信及び受信と関連づけられた複数の構成要素（例えば、プロセッサ、変調器、マルチプレクサ、復調器、デマルチプレクサ、アンテナ、等）を備えることができる。
【００２８】
モバイルデバイス１０４がシステム１００へのアクセス権を取得することを希望するときには、モバイルデバイス１０４はアクセスプローブ（Ａｃｃｅｓｓ  Ｐｒｏｂｅ）を送信し、アクセスネットワーク（例えば、基地局１０２）はアクセスプローブを受信する。アクセスプローブは、最初のアクセスに関して用いることができ、又はアクセスプローブは、モバイルデバイス１０４が通信中の基地局のリストであるアクティブセット内でのハンドオフに関して用いることができる。アクセスネットワーク（例えば、基地局１０２）は、アクセス許可（Ａｃｃｅｓｓ  Ｇｒａｎｔ）を用いてアクセスプローブに応答することができ、アクセス許可は、例えば共有シグナリングＭＡＣプロトコルを通じて通信することができる。アクセスプローブは、ＣＤＭＡシーケンスの送信用に保留される一定の帯域幅部分であるＣＤＭＡセグメントにおいて送信することができる。ＣＤＭＡシーケンスは、アクセスプローブと、ＣＱＩ送信と、要求送信と、等を含むことができる。
【００２９】
開示される側面は、複数のモバイルデバイス１０４に共通する高速アダマール変換（ＦＨＴ）を利用することに関連する。共通のＦＨＴを利用することは、各端末に関して異なるＦＨＴを利用する従来のシステムと関連する複雑さを軽減することができる。従って、端末専用のランダムシーケンスが共通して利用されており、基地局は、各端末を別々に探さなければならず、このことはシステム資源を消費する。開示される側面による共通のＦＨＴの利用を通じて、アクセス要求及びアクセス許可中に関わる複雑さを軽減することができる。
【００３０】
次に図２に関して、１つ以上の側面による多元接続無線通信システム２００が示される。無線通信システム２００は、１つ以上のユーザーデバイスと接触中の１つ以上の基地局を含むことができる。各基地局は、複数のセクターに関するカバレッジを提供する。３つのセクターから成る基地局２０２は、複数のアンテナグループを含み、１つのアンテナグループは、アンテナ２０４と２０６とを含み、他のアンテナグループは、アンテナ２０８と２１０とを含み、第３のアンテナグループは、アンテナ２１２と２１４とを含む。図により、各アンテナグループに関して２本のアンテナのみが示されるが、これよりも多い又は少ない数のアンテナを各アンテナグループに関して利用することができる。モバイルデバイス２１６は、アンテナ２１２及び２１４と通信状態であり、アンテナ２１２及び２１４は、順方向リンク２１８を通じてモバイルデバイス２１６に情報を送信し、逆方向リンク２２０を通じてモバイルデバイス２１６から情報を受信する。順方向リンク（又はダウンリンク）は、基地局からモバイルデバイスへの通信リンクを意味し、逆方向リンク（又はアップリンク）は、モバイルデバイスから基地局への通信リンクを意味する。モバイルデバイス２２２は、アンテナ２０４及び２０６と通信状態であり、アンテナ２０４及び２０６は、順方向リンク２２６を通じてモバイルデバイス２２２に情報を送信し、逆方向リンク２２４を通じてモバイルデバイス２２２から情報を受信する。
【００３１】
各アンテナグループ及び／又はこれらのアンテナが通信するように指定されるエリアは、基地局２０２のセクターと呼ぶことができる。１つ以上の側面においては、アンテナグループは、各々、基地局２０２によって網羅されたセクター又はエリア内のモバイルデバイスに通信するように指定される。基地局は、端末と通信するために用いられる固定局であることができる。
【００３２】
モバイルデバイス２１６、２２２が基地局２０２との通信を確立するのを希望するときには２つのタイプのアクセス送信が存在する。第１の送信タイプは、最初のアクセスであり、システム２００へのアクセス権を取得するのを希望する端末によって利用される。第２の送信タイプは、アクセスに基づくハンドオフであり、第１のセクター又は基地局２０２に接続されていて他のセクター又は基地局へのハンドオフを希望するモバイルデバイス２１６、２２２が関わる。アクセスに基づくハンドオフにおいては、モバイルデバイスは、ハンドオフ相手となるセクターと既に通信しており、従って、そのセクターは、ほとんどの場合においては、ＭＡＣ  ＩＤ（メディアアクセス制御識別）をモバイルデバイスに既に割り当てている。従って、アクセスに基づくハンドオフを要求時には、モバイルデバイスは、自己のＭＡＣ  ＩＤによってスクランブリングされたアクセスプローブを送信することができる。ここにおいて開示されるように複数のデバイスに関して単一のＦＨＴを利用することを通じて、ネットワークによるモバイルデバイスの識別（及びアクセス許可）がより高速であることができ及びより小さい複雑さで行うことができる。
【００３３】
図３は、アクセスに基づくハンドオフプローブを処理するために単一のＦＨＴを利用するシステム３００を示す。モバイルデバイスがネットワークへのアクセス（例えば、最初のアクセス、アクティブセット内でのハンドオフ）を希望するときには、モバイルデバイスは、アクセスプローブを送信する。アクセスネットワークは、そのネットワークへのアクセスが許容される場合はアクセス許可を用いて応答することができる。システム３００は、アクセスに基づくハンドオフ中に複数のデバイスによって送信されたアクセスプローブに関して単一のＦＨＴを利用するのを容易にすることができる。
【００３４】
システム３００は、モバイルデバイス３０４と無線通信中の基地局３０２を含む。アクセスネットワークには幾つかのモバイルデバイス３０４及び基地局３０２を含めることができるが、評価されるように、説明を単純化するために、通信データ信号を単一の基地局３０２に送信するモバイルデバイス３０４が例示される。
【００３５】
説明されるように、モバイルデバイスにＭＡＣ  ＩＤが割り当てられておらず、ネットワークにアクセスするためにランダムシーケンスを選択時に最初のハンドオフが生じる。このランダムシーケンスは、一組の１０２４のランダムシーケンスから選択することができる。これらの１０２４のランダムシーケンスは、８つのＯＦＤＭシンボル（時間）及び１１２の副搬送波（周波数）の次元を有するＣＤＭＡセグメントに基づき、その結果１０２４の変調シンボルになる。
【００３６】
アクセスに基づくハンドオフに関しては、各モバイルデバイス（例えば、ＭＡＣ  ＩＤ）は、いずれかの数のシーケンスが割り当てられる。一例においては、デバイスは、１乃至３のシーケンスが割り当てられるが、開示される側面は、特定の数の割り当てられたシーケンスに制限されない。これらのシーケンス、例えば１０２４のシーケンス、は、ウォルシュ関数によって処理され、その結果１０２４のウォルシュシーケンスが得られる。これらの１０２４のウォルシュシーケンスは、ＦＨＴによってスクランブリングされる。これらのシーケンスの各々は、ランダムシーケンスによってスクランブリングされたウォルシュシーケンスであるためランダムシーケンスのように見える。あらゆる数のシーケンスを各ユーザーに割り当てることができるため、ネットワーク内の全モバイルデバイスに対処するために２つ以上のＦＨＴを実行しなければならない状況が存在することがある。各ＦＨＴに関して異なるランダムシーケンスを利用することができる。
【００３７】
例えば、ネットワーク内に２０のモバイルデバイスが存在する場合は、単一のＦＨＴを利用することができる。第１の１０２４のシーケンスから、第１のモバイルデバイスに対してサブシーケンス０、１、及び２が割り当てられる。第２のモバイルデバイスは、サブシーケンス３、４、及び５が割り当てられる。第３のモバイルデバイスはサブシーケンス６、７、８、が割り当てられ、以下同様である。前例における各デバイスへの３つのシーケンスの割り当ては、説明を目的とするものであるにすぎず、開示される側面により、あらゆる数のシーケンスを各デバイスに割り当てることが可能であることが理解されるべきである。例えば５１２のモバイルデバイスが存在する状況においては、２つ以上のシーケンスが単一のデバイスに割り当てられる場合は２つのＦＨＴを利用することができる。１０００のモバイルデバイスが存在する場合は、３つのＦＨＴを利用することができ、以下同様である。
【００３８】
さらに詳細に説明すると、ここにおいて開示される様々な側面は、ウォルシュシーケンスＩＤ（ＷａｌｓｈＳｅｑｕｅｎｃｅＩＤ）及びアクセススクランブリングＩＤ（ＡｃｃｅｓｓＳｃｒａｍｂｌｉｎｇＩＤ）に関連する。ウォルシュシーケンスＩＤは、範囲０≦ウォルシュシーケンスＩＤ＜ＮＡＣＭＰＷａｌｓｈＳｅｑｕｅｎｃｅｓにおける整数である。ＮＡＣＭＰＷａｌｓｈＳｅｑｕｅｎｃｅｓは、単一のＦＨＴにおけるウォルシュシーケンス数を表す定数である。ウルトラモバイルブロードバンド（ＵＭＢ）の場合は、ＮＡＣＭＰＷａｌｓｈＳｅｑｕｅｎｃｅは、１０２４である。アクセススクランブリングＩＤは、ウォルシュシーケンスをスクランブリングするために利用されるシーケンスを識別する。その範囲は、ＭＡＣ ＩＤ数及びＭＡＣ  ＩＤ当たりのシーケンス数によって決定される。一側面により、アクセススクランブリングＩＤは、０乃至１５の間の整数であるが、その他の範囲も利用可能である。ウォルシュシーケンスＩＤは、（単一のＦＨＴ内における）ウォルシュシーケンスのインデックスを表し、他方、アクセススクランブリングＩＤは、スクランブリングシーケンス自体のインデックスを表す。量ウォルシュシーケンスＩＤ及びアクセススクランブリングＩＤは、アクセスシーケンスＩＤ及びアクセスタイプフィールドと１対１の関係を有する。アクセスタイプは、ハンドオフのタイプを表す（＝０は、最初のアクセス又はアイドル状態を表し、＝１は、アクセスに基づくハンドオフ、又は接続状態を表す）。アクセスシーケンスＩＤは、端末が利用可能なセット内のアクセスシーケンスのインデックスを表す。従って、アクセスに基づくハンドオフに関して、端末が例えば３つのシーケンスのうちの１つから選択する場合は、アクセスシーケンスＩＤは、０乃至２の値をとる。
【００３９】
ウォルシュシーケンスＩＤ及びアクセススクランブリングＩＤを決定することは、アイドル状態プロトコルがアクセス状態にあるかどうかに依存することができる。アイドル状態プロトコルのアクセス状態でのアクセスプローブ送信は、接続された状態に移行するために利用することができ、これは、“最初のアクセス”と呼ぶことができる。アイドル状態プロトコルのアクセス状態外におけるアクセスプローブ送信は、同じ周波数における又は異なる周波数における異なるセクター間での“ハード”ハンドオフに関して利用することができる。アイドル状態プロトコルのアクセス状態外におけるアクセスプローブ送信は、半接続状態から接続状態に移行するために及び／又はセクターに関するタイミング及び電力補正を得るために利用することもできる。
【００４０】
接続された状態（アクセスタイプ＝１）においては、アクセスシーケンスＩＤは、セクターの順方向リンクチャネルの品質に依存して、０乃至パイロットレベル（ＰｉｌｏｔＬｅｖｅｌ）−１の間の値をとる。幾つかの場合においては、アクセスシーケンスＩＤは、端末の優先レベル又は希望されるＱｏＳ等のその他の量に依存することもできる。
【００４１】
基地局３０２は、基地局３０２によって網羅されるセクターへのアクセス権を取得するのを希望するデバイス３０４からアクセスプローブを受け取るように構成することができるアクセスプローブ受信機３０６を含む。アクセスプローブは、ウォルシュシーケンスを含むことができ、ウォルシュシーケンスは、指定されたランダムシーケンスを用いてモバイルデバイス３０４によってスクランブリングすることができる。ランダムシーケンスは、セクター内のデバイスに予め通信してそれによって様々なデバイスが特定の間隔（例えば、５ｍｓ）で同じランダムシーケンスを利用するようにすることができる。幾つかの側面により、ウォルシュシーケンスは、１０２４の変調シンボルを備える。
【００４２】
幾つかの側面においては、セクター内の（又はセクターへのアクセス権を取得するのを希望する）第１の部分組のモバイルデバイスは、第１のランダムシーケンスを使用し、第２の部分組のモバイルデバイスは、第２のランダムシーケンスを利用する。スクランブリングされたシーケンスのサブシーケンスは有限数のデバイスにしか提供できないため（例えば、第１のデバイスにサブシーケンス０、１、及び２が割り当てられ、第２のデバイスにサブシーケンス３、４、及び５が割り当てられる）、異なるランダムシーケンスは、デバイスがいつアクセスプローブを送信したかの関数であること及び／又はいずれかの時点においてアクセスプローブを送信可能なデバイス数に基づくことができる。
【００４３】
基地局３０２は、ランダムシーケンス（又は現在のシステム３００構成に依存して２つ以上のランダムシーケンス）を利用して、アクセスプローブ内に含められたウォルシュシーケンスをＦＨＴによって復調するように構成することができる復調器３０８も含むことができる。複数のアクセスプローブが実質的に同時に受信される場合においては、復調器３０８は、単一のＦＨＴ（例えば、単一のランダムシーケンス）を利用することによってアクセスプローブを復調するように構成することができる。
【００４４】
アクセス決定器３１０は、復調及びその他の要因（例えば、システム容量、信号強度、等）に基づいてセクター（例えば基地局３０２）へのアクセスを選択的に許可することができる。アクセス許可は、共有シグナリングＭＡＣプロトコルを通じて送信することができる。
【００４５】
システム３００は、基地局３０２に動作可能な形で結合されたメモリ３１２を含むことができる。メモリ３１２は、アクセスプローブを送信するためにデバイスによって利用される単一のＦＨＴ又はランダムシーケンスを識別すること、１つ以上の既知のランダムシーケンスに基づいてアクセスプローブを復調すること、セクターへのアクセスが承認された場合にアクセス許可を選択的に送信することに関連する情報、及び通信ネットワークにおいて送信及び受信される信号に関連するその他の適切な情報を格納することができる。プロセッサ３１４は、通信ネットワークにおける複数のユーザーからのアクセスに基づくハンドオフプローブを復号するための単一のＦＨＴに関連する情報の解析を容易にするように動作可能な形で基地局３０２（及び／又はメモリ３１２）に接続することができる。プロセッサ３１４は、基地局３０２によって受信された情報の解析及び／又は生成を専用とするプロセッサ、システム３００の１つ以上の構成要素を制御するプロセッサ、及び／又は基地局３０２によって受信された情報を解析及び生成し及びシステム３００の１つ以上の構成要素を制御するプロセッサであることができる。
【００４６】
メモリ３１２は、ＦＨＴ情報と関連づけられたプロトコルを格納し、基地局３０２とモバイルデバイス３０４との間における通信を制御するように動作し、システム３００が格納されたプロトコル及び／又はアルゴリズムを採用してここにおいて説明されるような無線ネットワークにおいて向上された通信を達成することができる。メモリ３１２及びプロセッサ３１４は、基地局３０２の内部又は外部に配置することができる。ここにおいて説明されるデータ格納装置（例えば、メモリ）構成要素は、揮発性メモリ又は非揮発性メモリであることができ、又は揮発性及び非揮発性の両方のメモリを含むことができることが評価されるべきである。一例として及び制限することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部のキャッシュメモリとして働くランダムアクセスメモリ（ＲＡＭ）を含むことができる。一例として及び制限することなしに、ＲＡＭは、同期ＲＡＭ（ＤＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の数多くの形態で利用可能である。開示される側面のメモリ３１２は、制限されることなしに、これらの及びその他の適切な型のメモリを備えることが意図される。
【００４７】
図４は、アクセスに基づくハンドオフプローブに関して単一の高速アダマール変換を利用するためのシステム４００を示す。システム４００は、１つ以上のモバイルデバイス４０４と通信中の１つ以上の基地局４０２を含む。モバイルデバイス４０４は、時々、基地局４０２によって網羅されるセクターへのアクセス権を取得するのを希望することがある。
【００４８】
アクセスを取得するために、モバイルデバイス４０４は、ランダムシーケンスによってウォルシュシーケンスをスクランブリングしてスクランブリングされたシーケンスを生成するように構成することができる符号器４０６を含むことができる。ウォルシュシーケンスの組は、１０２４の変調シンボルを備えることができる。符号器４０６は、アクセスに基づくハンドオフプローブを送信するために利用すべきランダムシーケンスを備えることができる。シーケンスを復号するために単一のＦＨＴを利用できるため、定義されたランダムシーケンスを利用することは効率を提供する。
【００４９】
割り当て器４０８は、スクランブリングされたシーケンスのサブシーケンスの割り当てを受信するように構成することができる。例えば、第１のデバイスには、サブシーケンス０、１、及び２を割り当てることができ、第２のデバイスにはサブシーケンス３、４、及び５を割り当てることができ、以下同様である。該方法により、少なくとも１つの部分組のデバイスは、共通のランダムシーケンスを利用し、この共通のランダムシーケンスは、単一のＦＨＴの利用を通じて基地局４０２によって復調することができる。割り当てられたサブシーケンスの１つ以上が、アクセスに基づくハンドオフプローブを送信するために利用される。従って、第１の組のデバイスが第１のランダムシーケンスを利用し、第２の組のデバイスが第２のランダムシーケンスを利用する状況が存在することがある（例えば、割り当てる必要があるサブシーケンスの数がランダムシーケンスにおいて利用可能なサブシーケンスよりも多く、従って第２のランダムシーケンスが利用される）。
【００５０】
スクランブリングされたシーケンスをアクセスに基づくハンドオフプローブとして送信するように構成することができる通信器４１０も含まれる。アクセスに基づくハンドオフプローブに応答して、共有シグナリングＭＡＣプロトコルを通じてアクセス許可を受け取ることができる。
【００５１】
幾つかの側面により、モバイルデバイス４０４は、パイロットレベルを決定するように構成することができるパイロットレベル選択器（示されない）を含むことができる。パイロットレベルは、ウォルシュシーケンスＩＤ及び／又はアクセススクランブリングＩＤの値を決定時に利用することができる。
【００５２】
さらに、システム４００は、動作可能な形でモバイルデバイス４０４に結合されたメモリ４１２を含むことができる。メモリ４１２は、アクセスに基づくハンドオフプローブを送信する、ランダムシーケンス、ウォルシュシーケンスの値、パイロットレベルの値、アクセススクランブリングＩＤの値に関連する情報、及び通信ネットワークにおいて送信及び受信された信号に関連するその他の適切な情報を格納することができる。プロセッサ４２４は、通信ネットワークにおいてアクセスに基づくハンドオフプローブに関して単一のＦＨＴを用いることに関連する情報の解析を容易にするために動作可能な形でモバイルデバイス４０４（及び／又はメモリ４１２）に結合することができる。メモリ４１２及びプロセッサ４２４は、モバイルデバイス４０４の内部又は外部に配置することができる。例えば、メモリ４１２は、モバイルデバイス４０４内に挿入できるメモリカード又はモバイルデバイス４０４の内部に配置されたＲＡＭであることができる。プロセッサ４２４は、モバイルデバイス４０４によって受信された情報の解析及び／又は生成専用のプロセッサ、システム４００の１つ以上の構成要素を制御するプロセッサ、及び／又はモバイルデバイス４０４によって受信された情報を解析及び生成し及びシステム４００の１つ以上の構成要素を制御するプロセッサであることができる。
【００５３】
示されて上述される典型的システムに鑑みて、開示される主題に従って実装することができる方法は、後続する流れ図を参照することによってより良く評価されるであろう。説明を単純化することを目的として、方法は一連のブロックとして示され及び説明される一方で、幾つかのブロックはここにおいて描かれて説明されるその他のブロックと異なる順序で及び／又は同時並行して生じることができるため、請求される主題は、ブロックの数又は順序によって制限されないことが理解及び評価されるべきである。さらに、すべての例示されるブロックが以下において説明される方法を実装するために要求されるわけではない。ブロックと関連する機能は、ソフトウェア、ハードウェア、その組み合わせ又はその他の何らかの適切な手段（例えば、デバイス、システム、プロセス、構成要素）によって実装できることが評価されるべきである。さらに、以降において及びこの明細書全体を通じて開示される方法は、該方法を様々なデバイスにトランスポート及び転送するのを容易にするための製造品に格納できることが評価されるべきである。方法は、代替として、例えば状態図におけるように、一連の相関関係を有する状態又はイベントとして表すことができることを当業者は理解及び評価するであろう。
【００５４】
図５は、アクセスに基づくハンドオフプローブに関して単一の高速アダマール変換を用いるための方法５００を示す。５０２において、基地局によって網羅されるセクターへのアクセスが許可されることを希望するモバイルデバイスからアクセスプローブが受信される。アクセスプローブは、ウォルシュシーケンスを含むことができ、該ウォルシュシーケンスは、幾つかの側面により、１０２４の変調シンボルを備えることができる。
【００５５】
５０４において、ウォルシュシーケンスは、少なくとも１つの部分組のモバイルデバイスに共通するランダムシーケンスを備える高速アダマール変換によって復調することができる。さらに、アクセスプローブは、２つ以上のデバイスから実質的に同時に受信することができる。これらの２つ以上のアクセスプローブは、単一のＦＨＴを利用して復調することができる。幾つかの側面により、第２の部分組のモバイルデバイスは、第２のランダムシーケンスを利用することができる。この第２のランダムシーケンスは、ウォルシュシーケンスを復調するために利用することができる（例えば、単一のＦＨＴ）。
【００５６】
アクセスプローブを送信したモバイルデバイスは、５０６において、セクターへのアクセスを選択的に許可されることができる。これは、共有シグナリングＭＡＣプロトコルを通じてアクセス許可を送信することを含むことができる。
【００５７】
図６は、アクセスを許可するために単一のＦＨＴを用いるための他の方法６００を示す。方法６００は、６０２において開始し、ウォルシュシーケンスがランダムシーケンスによってスクランブリングされてスクランブリングされたシーケンスが生成される。ランダムシーケンスは、単一のＦＨＴがスクランブリングされたシーケンスを復調することとともに利用されるようにするために２つ以上のデバイスによって利用することができる。
【００５８】
６０４において、スクランブリングされたシーケンスの１つ以上のサブシーケンスの割り当てが受け取られる。スクランブリングされたシーケンスは、６０６において、アクセスに基づくハンドオフプローブの形で送信することができる。アクセスに基づくハンドオフプローブ内においてはサブシーケンスのうちの１つ以上を利用することができる。アクセスが許可される場合は、共有シグナリングＭＡＣプロトコルを通じてアクセス許可を受信することができる。
【００５９】
図７は、パイロットレベルを決定するための方法７００を示す。量パイロットレベルは、上述されるように、ウォルシュシーケンスＩＤ及びアクセススクランブリングＩＤの値に関して利用される。パイロットレベルを決定するために、パイロットしきい値１（ＰｉｌｏｔＴｈｒｅｓｈｏｌｄ１）及びパイロットしきい値２（ＰｉｌｏｔＴｈｒｅｓｈｏｌｄ２）の両方が利用される。方法７００は、７０２において開始し、セクターからアクセス試みが行われている場所へのパイロット電力が確認される。受信電力を決定するために様々なチャネルを利用することができ、これらのチャネルは、Ｆ−ＯＳＩＣＨ（その他のセクターの干渉表示）、Ｆ−ＰＢＣＣＨ（パケットブロードキャスト制御チャネル）、Ｆ−ＰＰＩＣＨ（プリアンブルパイロットチャネル）及び／又はＦ−ＳＢＣＣＨ（２次ブロードキャスト制御チャネル）を含むことができる。例えば、Ｆ−ＯＳＩＣＨパイロット電力は、Ｆ−ＯＳＩＣＨ（例えば、スーパーフレームプリアンブルからのインデックス４及び５を有するＯＦＤＭシンボル）の受信された電力である。パイロット電力の決定は、測定に基づいて又はその他の情報収集手段を通じて行うことができる。７０４において、（例えば、電力を測定するか又はその他の方法で入手することを通じて）所定のセクターの電力が確認される。
【００６０】
スーパーフレームは、順方向リンク及び逆方向リンクの両方における基本的な送信単位である。順方向リンクスーパーフレームは、スーパーフレームプリアンブル及び後続されるＮＦＬＰＨＹＦｒａｍｅｓＦＬ  ＰＨＹフレームから成る。逆方向リンクスーパーフレームは、ＮＲＬＰＨＹＦｒａｍｅｓＲＬ  ＰＨＹフレームから成る。幾つかの側面により、ＮＦＬＰＨＹＦｒａｍｅｓ及びＮＲＬＰＨＹＦｒａｍｅｓは、システム内における定数であることができ、ＮＦＬＰＨＹＦｒａｍｅｓ＝ＮＲＬＰＨＹＦｒａｍｅｓ＝２５である。各スーパーフレームは、スーパーフレームごとに増分されるスーパーフレームインデックスによって一意で識別することができる。スーパーフレームインデックスは、システム時間に関連する。さらに、各ＦＬ  ＰＨＹフレーム及び各ＲＬ  ＰＨＹフレームは、ＦＬ  ＰＨＹフレームインデックス及び各ＲＬ  ＰＨＹフレームインデックスによってそれぞれ一意で識別することができる。
【００６１】
７０６において、セクターからアクセスが試みられている場所までのパイロット電力及びチャネル時間スロットにおいて受信された総電力の比が決定される。該比は、ｄＢで測定することができる。７０８において、該比に基づき、該比がパイロットしきい値１を下回るかどうかが決定される。該比がパイロットしきい値１を下回る（“はい”）という決定である場合は、方法７００は、７１０において継続し、パイロットレベルが０に設定される。該比がパイロットしきい値１を上回る（“いいえ”）という決定である場合は、７１２において、該比がパイロットしきい値２を下回るかどうかの決定が行われる。該比がパイロットしきい値１を上回りパイロットしきい値２を下回る（“はい”である）場合は、７１４において、パイロットレベルが１に設定される。該比がパイロットしきい値１及びパイロットしきい値２のいずれも下回らない（“いいえ”である）場合は、方法７００は、７１６において継続し、パイロットレベルが２に設定される。
【００６２】
上述されるように、パイロットレベルを決定するために、アクセス端末は、パイロットしきい値１及びパイロットしきい値２を利用することができる。ウォルシュシーケンスＩＤ及びアクセススクランブリングＩＤの値は、１つのパラメータとして、量パイロットレベルの値を利用する。
【００６３】
図８は、アクセス状態外においてウォルシュシーケンスＩＤ及びアクセススクランブリングＩＤを決定するための方法８００を示す。８０２において、アクセスタイプフィールドが１に設定される。８０４において、アクセスシーケンスＩＤフィールドがパイロットレベルに設定される。パイロットレベルは、図７の方法７００において説明されるのと同じやり方で決定することができる。
【００６４】
ウォルシュシーケンスＩＤ及びアクセススクランブリングＩＤは、アクセスプローブの目標セクターからのアクセス端末のＭＡＣ  ＩＤに依存することができる。ウォルシュシーケンスＩＤは、８０６において、（ＭＡＣＩＤ＊ＮＡＣＭＰＰｉｌｏｔＬｅｖｅｌｓ＋アクセスシーケンスＩＤ）ｍｏｄＮＡＣＭＰＷａｌｓｈＳｅｑｕｅｎｃｅｓに設定することができる。アクセススクランブリングＩＤは、８０８において、
【数１】
2010517487.tif 000003
【００６５】
に設定することができる。
【００６６】
次に図９に関して、開示される側面のうちの１つ以上によりアクセスプローブに関して単一のＦＨＴを利用するのを容易にするユーザーデバイス９００が示される。ユーザーデバイス９００は、例えば、受信機アンテナからの信号を受信することができる受信機９０２を備える。受信機９０２は、典型的な動作、例えば受信された信号のフィルタリング、増幅、ダウンコンバージョン、等、を行うことができる。受信機９０２は、コンディショニングされた信号をデジタル化してサンプルを入手することもできる。復調器９０４は、各シンボル期間に関して受信されたシンボルを入手すること、及び受信されたシンボルをプロセッサ９０６に提供することができる。
【００６７】
プロセッサ９０６は、受信機構成要素９０２によって受信された情報の解析及び／又は送信機９０８による送信に関する情報生成の専用プロセッサであることができる。さらに加えて又は代替として、プロセッサ９０６は、ユーザーデバイス９００の１つ以上の構成要素を制御し、受信機９０２によって受信された情報を解析し、送信機９０８による送信に関する情報を生成し、及び／又はユーザーデバイス９００の１つ以上の構成要素を制御することができる。プロセッサ９０６は、追加のユーザーデバイスとの通信を調整することができるコントローラ構成要素を含むことができる。
【００６８】
ユーザーデバイス９００は、動作可能な形でプロセッサ９０６に結合され及び通信を調整することに関連する情報及びその他の適切な情報を格納することができるメモリ９０８を追加で備えることができる。メモリ９１０は、サンプル再配置と関連づけられたプロトコルを追加で格納することができる。ここにおいて説明されるデータ格納装置（例えば、メモリ）構成要素は、揮発性メモリ又は非揮発性メモリであることができ、又は揮発性及び非揮発性の両方のメモリを含むことができる点が評価されるべきである。例示を目的として、及び制限することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部のキャッシュメモリとして働くランダムアクセスメモリ（ＲＡＭ）を含むことができる。例示を目的として、及び制限することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、で利用可能である。主題のシステム及び／又は方法のメモリ９０８は、制限されることなしに、これらのメモリとその他の適切な型のメモリとを備えることが意図される。ユーザーデバイス９００は、シンボル変調器９１２と変調された信号を送信する送信機９０８とをさらに備えることができる。
【００６９】
受信機９０２は、ランダムシーケンスによってウォルシュシーケンスをスクランブリングしてスクランブリングされたシーケンスを生成する符号器９１４に動作可能な形でさらに結合される。符号器９１４は、単一のＦＨＴを利用してランダムシーケンスを復号できるようにそのランダムシーケンスを備えることができる。さらに、受信機９０２は、スクランブリングされたシーケンスの１つ以上のサブシーケンスの割り当てを受け取る割り当て器９１６に動作可能な形で結合することができる。送信機９０８は、スクランブリングされたシーケンスをアクセスに基づくハンドオフプローブとして送信することができる。アクセスプローブに応答して、受信機９０２は、アクセス許可を受信することができ、アクセス許可は、共有シグナリングＭＡＣプロトコルを通じて送信することができる。
【００７０】
図１０は、ここにおいて提示される様々な側面により単一のＦＨＴを利用するのを容易にするシステム１０００を示す。システム１０００は、基地局又はアクセスポイント１００２を備える。例示されるように、基地局１００２は、受信アンテナ１００６によって１つ以上のユーザーデバイス１００４から信号を受信し、送信アンテナ１００８を通じて１つ以上のユーザーデバイス１００４に送信する。
【００７１】
基地局１００２は、受信アンテナ１００６から情報を受信し及び受信された情報を復調する復調器１０１２と動作可能な形で関連づけられている受信機１０１０を備える。復調されたシンボルは、ユニキャスト波形内に埋め込まれたブロードキャスト−マルチキャスト波形に関連する情報を格納するメモリ１０１６に結合されるプロセッサ１０１４によって解析される。変調器１０１８は、送信アンテナ１００８を通じて送信機１０２０によってユーザーデバイス１００４に送信するために信号を多重化することができる。
【００７２】
プロセッサ１０１４は、アクセス決定器１０１６にさらに結合される。受信機１０１０は、基地局１００２によって網羅されるセクターへのアクセス権を取得することを希望する１つ以上のモバイルデバイスからアクセスプローブを受信することができる。復調器１０１２は、ＦＨＴを利用してアクセスプローブ内に含められたウォルシュシーケンスを復調することができる。アクセス決定器１０１６は、セクターへのアクセスを１つ以上のモバイルデバイスに選択的に許可することができる。
【００７３】
図１１は、典型的無線通信システム１１００を示す。無線通信システム１１００は、簡潔さを目的として１つの基地局及び１つの端末を描く。しかしながら、システム１１００は、２つ以上の基地局又はアクセスポイント及び／又は２つ以上の端末又はユーザーデバイスを含むことができ、追加の基地局及び／又は端末は、後述される典型的基地局及び端末と実質的に類似すること又は異なることができる点が評価されるべきである。さらに、基地局及び／又は端末は、相互の間での通信を容易にするためにここおいて説明されるシステム及び／又は方法を採用できることが評価されるべきである。
【００７４】
次に図１１に関して、ダウンリンクにおいて、アクセスポイント１１０５において、送信（ＴＸ）データプロセッサ１１１０は、トラフィックデータを受け取り、フォーマット化し、符号化し、インターリービングし、変調（又はシンボルマッピング）し、変調シンボル（“データシンボル”）を提供する。シンボル変調器１１１５は、データシンボル及びパイロットシンボルを受け取って処理し、シンボルストリームを提供する。シンボル変調器１１１５は、データ及びパイロットシンボルを多重化し、一組のＮの送信シンボルを入手する。各送信シンボルは、データシンボル、パイロットシンボル、又はゼロの信号値であることができる。パイロットシンボルは、各信号期間において連続的に送信することができる。パイロットシンボルは、周波数分割多重（ＦＤＭ）、直交周波数分割多重（ＯＦＤＭ）、時分割多重（ＴＤＭ）、周波数分割多重（ＦＤＭ）、又は符号分割多重（ＣＤＭ）であることができる。
【００７５】
送信機ユニット（ＴＭＴＲ）１１２０は、シンボルのストリームを受け取って１つ以上のアナログ信号に変換し、アナログ信号をさらにコンディショニング（例えば、増幅、フィルタリング、及び周波数アップコンバージョン）し、無線チャネルを通じての送信に適するダウンリンク信号を生成する。ダウンリンク信号は、アンテナ１１２５を通じて端末に送信される。端末１１３０において、アンテナ１１３５は、ダウンリンク信号を受信し、受信された信号を受信機ユニット（ＲＣＶＲ）１１４０に提供する。受信機ユニット１１４０は、受信された信号をコンディショニング（例えば、フィルタリング、増幅、及び周波数ダウンコンバージョン）し、コンディショニングされた信号をデジタル化してサンプルを入手する。シンボル復調器１１４５は、Ｎの受信されたシンボルを入手し、受信されたパイロットシンボルをチャネル推定のためにプロセッサ１１５０に提供する。シンボル復調器１１４５は、プロセッサ１１５０からのダウンリンクに関する周波数応答推定をさらに受信し、受信されたデータシンボルに関するデータ復調を行って（送信されたデータシンボルの推定である）データシンボル推定を入手し、データシンボル推定をＲＸデータプロセッサ１１５５に提供し、ＲＸデータプロセッサ１１５５は、データシンボル推定を復調（すなわち、シンボルデマッピング）し、デインターリービング、及び復号して送信されたトラフィックデータを復元する。シンボル復調器１１４５及びＲＸデータプロセッサ１１５５による処理は、アクセスポイント１１０５における、シンボル変調器１１１５及びＴＸデータプロセッサ１１１０のそれぞれによる処理を補完するものである。
【００７６】
アップリンクにおいて、ＴＸデータプロセッサ１１６０は、トラフィックデータを処理してデータシンボルを提供する。シンボル変調器１１６５は、データシンボルを受け取り、パイロットシンボルと多重化し、変調を行い、シンボルのストリームを提供する。次に、送信機ユニット１１７０は、シンボルのストリームを受信及び処理してアップリンク信号を生成し、アップリンク信号は、アンテナ１１３５によってアクセスポイント１１０５に送信される。
【００７７】
アクセスポイント１１０５において、端末１１３０からのアップリンク信号がアンテナ１１２５によって受信されて受信機ユニット１１７５によって処理されてサンプルが入手される。シンボル復調器１１８０は、これらのサンプルを処理し、受信されたパイロットシンボル及びデータシンボル推定をアップリンクのために提供する。ＲＸデータプロセッサ１１８５は、データシンボル推定を処理して端末１１３０によって送信されたトラフィックデータを復元する。プロセッサ１１９０は、アップリンクにおいて送信中の各々のアクティブなプロセッサに関するチャネル推定を行う。
【００７８】
プロセッサ１１９０及び１１５０は、アクセスポイント１１０５及び端末１１３０における動作をそれぞれ指示（例えば、制御、調整、管理）する。各々のプロセッサ１１９０及び１１５０は、プログラムコード及びデータを格納するメモリユニット（示されていない）と関連づけることができる。プロセッサ１１９０及び１１５０は、アップリンク及びダウンリンクに関するそれぞれの周波数及びインパルス応答推定を導き出すための計算を行うこともできる。
【００７９】
多元接続システム（例えば、ＦＤＭＡ、ＯＦＤＭＡ、ＣＤＭＡ、ＴＤＭＡ、等）に関して、複数の端末がアップリンクにおいて同時並行して送信することができる。該システムに関しては、パイロット副帯域を異なる端末間で共有することができる。チャネル推定技法は、各端末に関するパイロット副帯域が動作帯域全体（可能なことに帯域縁を除く）にわたっている場合に用いることができる。該パイロット副帯域構造は、各端末に関する周波数ダイバーシティを得るために望ましいことになる。ここにおいて説明される技法は、様々な手段によって実装することができる。例えば、これらの技法は、ハードウェア、ソフトウェア、又はその組み合わせにおいて実装することができる。ハードウェアにおいて実装する場合は、チャネル推定のために用いられる処理ユニットは、ここにおいて説明される機能を果たすために設計された、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はその組み合わせ内に実装することができる。ソフトウェアに関する場合は、実装は、ここにおいて説明される機能を果たすモジュール（例えば、手順、関数、等）を通じて行うことができる。ソフトウェアコードは、メモリユニット内に格納してプロセッサ１１９０及び１１５０によって実行することができる。
【００８０】
ここにおいて説明される実施形態は、ハードウェア、ソフトウェア、ファームウェア、ミドルウェア、マイクロコード、又はそのいずれかの組み合わせによって実装できることが理解されるべきである。システム及び／又は方法がソフトウェア、ファームウェア、ミドルウェア、マイクロコード、プログラムコード又はコードセグメントに実装されるときには、機械によって読み取り可能な媒体、例えば格納構成要素、に格納することができる。コードセグメントは、手順、関数、サブプログラム、プログラム、ルーチン、サブルーチン、モジュール、ソフトウェアパッケージ、クラス、又は、命令、データ構造又はプログラム文の組み合わせを表すことができる。コードセグメントは、情報、データ、引数、パラメータ、又はメモリ内容を渡す及び／又は受け取ることによって他のコードセグメント又はハードウェア回路に結合することができる。情報、引数、パラメータ、データ、等は、メモリシェアリング、メッセージ渡し、トーン渡し、ネットワーク送信、等を含むいずれかの適切な手段を用いて渡す、転送する、又は送信することができる。
【００８１】
ソフトウェアに実装する場合は、ここにおいて説明される技法は、ここにおいて説明される機能を果たすモジュール（例えば、手順、関数、等）によって実装することができる。ソフトウェアコードは、メモリユニット内に格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合することができる。さらに、少なくとも１つのプロセッサは、ここにおいて説明される機能を果たすために動作可能な１つ以上のモジュールを含むことができる。
【００８２】
図１２に関して、アクセスに基づくハンドオフプローブに関して高速アダマール変換を用いるためのシステム１２０が例示される。例えば、システム１２００は、少なくとも部分的には基地局内に常駐することができる。システム１２００は、機能ブロックを含む状態が表され、これらの機能ブロックは、プロセッサ、ソフトウェア、又はその組み合わせ（例えば、ファームウェア）によって実装される機能を表す機能ブロックであることができる。システム１２００は、別個に又は連携して動作することができる電気的構成要素から成る論理グループ１２０２を含む。例えば、論理グループ１２０２は、アクセスプローブ１２０４を受信するための電気的構成要素を含むことができる。アクセスプローブは、モバイルデバイスから受信することができ、モバイルデバイスは、網羅しているエリアへのアクセスを要求する。アクセスプローブは、ウォルシュシーケンスを含むことができる。幾つかの側面により、ウォルシュシーケンスは、１０２４の変調システムを含むことができる。
【００８３】
さらに、論理グループ１２０２は、アクセスプローブ内に含められたウォルシュシーケンスを高速アダマール変換によって復調するための電気的構成要素を備えることができる１２０６。高速アダマール変換（ＦＨＴ）は、アクセスプローブを送信できる１つ以上のモバイルデバイスに共通するランダムシーケンスを備えることができる。
【００８４】
幾つかの側面により、システム１２００は、復調に基づいてセクターへのアクセスをモバイルデバイスに選択的に許可するための電気的構成要素を含む（示されていない）。セクターへのアクセスを選択的に許可することは、共有シグナリングＭＡＣプロトコルを通じてアクセス許可を送信することを含むことができる。さらに加えて又は代替として、システム１２００は、２つ以上のデバイスからのアクセスプローブを実質的に同時に受信するための電気的構成要素を含むことができる（示されていない）。さらに、アクセスプローブ内に含められたウォルシュシーケンスをランダムシーケンスを備える高速アダマール変換によって復調するための電気的構成要素を含むこともできる。
【００８５】
さらに、システム１２００は、電気的構成要素１２０４、１２０６、及び／又はその他の電気的構成要素と関連づけられた機能を実行するための命令を保持するメモリ１２０８を含むことができる。電気的構成要素１２０４、１２０６は、メモリ１２０８の外部の電気的構成要素として示されている一方で、これらの構成要素のうちの１つ以上がメモリ１２０８内に存在できることが理解されるべきである。
【００８６】
図１３に関して、アクセスに基づくハンドオフプローブに関して単一の高速アダマール変換を用いるためのシステム１３００が示される。システム１３００は、例えばアクセス端末内に常駐することができる。描かれるように、システム１３００は、プロセッサ、ソフトウェア、又はその組み合わせ（例えば、ファームウェア）によって実装される機能を表すことができる機能ブロックを含む。システム１３００は、別個に又は連携して動作することができる電気的構成要素から成る論理グループ１３０２を含む。論理グループ１３０２は、ランダムシーケンスによってウォルシュシーケンスをスクランブリングしてスクランブリングされたシーケンスを生成するための電気的構成要素を含むことができる１００４。ランダムシーケンスは、以前に１つ以上のデバイスに通信されたシーケンスであることができる。さらに、論理グループ１３０２は、スクランブリングされたシーケンスをアクセスに基づくハンドオフプローブとして送信するための電気的構成要素を含むことができる１３０６。ハンドオフプローブには、スクランブリングされたシーケンスの少なくとも１つのサブシーケンス含めることができる。
【００８７】
幾つかの側面により、論理グループ１３０２は、共有シグナリングＭＡＣプロトコル（示されていない）を通じてアクセス許可を受信するための電気的構成要素を含むことができる。アクセス許可は、送信されたアクセスに基づくハンドオフプローブに応答して受信することができる。
【００８８】
さらに、システム１３００は、電気的構成要素１３０４、１３０６、及び／又はその他の構成要素と関連づけられた機能を実行するための命令を保持するメモリ１３０８を含むことができる。電気的構成要素１３０４、１３０６は、メモリ１３０８の外部の電気的構成要素として示されている一方で、これらの構成要素のうちの１つ以上がメモリ１３０８内に存在できることが理解されるべきである。
【００８９】
ここにおいて説明される様々な側面又は特徴は、標準的なプログラミング及び／又はエンジニアリング技法を用いて製造方法、製造装置、又は製造品として実装することができる。ここにおいて用いられる「製造品」という表現は、コンピュータによって読み取り可能なデバイス、キャリヤ、又は媒体からアクセス可能なコンピュータプログラムを包含することが意図されている。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネルと、命令及び／又はデータを格納、内蔵、及び／又は搬送することができるその他の様々な媒体と、を含むことができる。さらに、コンピュータプログラム製品は、ここにおいて説明される機能を実行するのをコンピュータに行わせるために動作可能な１つ以上の命令又はコードを有するコンピュータによって読み取り可能な媒体を含むことができる。
【００９０】
上述されていることは、１つ以上の実施形態の例を含む。当然のことであるが、上記の実施形態を説明することを目的として構成要素又は方法の考えられるあらゆる組み合わせを説明することは可能ではないが、当業者は、様々な実施形態のさらに数多くの組み合わせ及び置換が可能であることを認識するであろう。従って、説明される実施形態は、添付された請求項の適用範囲内にあるあらゆる変更、修正及び変形を包含することが意図されている。発明を実施するための形態又は請求項において「含む」という表現が用いられている限りにおいて、該表現は、「備える」いう表現が請求項において移行語として採用されたときの解釈と同様の包含性を有することが意図されている。さらに、発明を実施するための形態又は請求項のいずれであるにかかわず用いられる“又は”という表現は、“非排他的な又は”であることが意味される。
【図１】
2010517487.tif 000004
【図２】
2010517487.tif 000005
【図３】
2010517487.tif 000006
【図４】
2010517487.tif 000007
【図５】
2010517487.tif 000008
【図６】
2010517487.tif 000009
【図７】
2010517487.tif 000010
【図８】
2010517487.tif 000011
【図９】
2010517487.tif 000012
【図１０】
2010517487.tif 000013
【図１１】
2010517487.tif 000014
【図１２】
2010517487.tif 000015
【図１３】
2010517487.tif 000016
【国際調査報告】
2010517487.tif 000017
2010517487.tif 000018